(57)【要約】      （修正有）【課題】照明器具全体の小型化が可能であると共に，メンテナンス性に優れたスタンド型照明器具を提供する。【解決手段】基台１０の中央部に筒状の安定器保護カバー内に安定器３２を収容した安定器ユニット３０を立設すると共に，この安定器ユニット３０を包囲するように，高さ方向を長さ方向とする透明な筒状のランプ保護カバー内にそれぞれランプを収容して形成された複数のランプユニット２０を立設し，基台１０の上面でランプ保護カバー及び安定器保護カバーの下端開口を被蓋すると共に，安定器ユニット３０及びランプユニット２０上に蓋体５０を載置してランプ保護カバー及び安定器保護カバーの上端開口を被蓋する。【選択図】図１
0003138723.tif 000002
【実用新案登録請求の範囲】
【請求項１】
高さ方向を長さ方向とする透明な筒状のランプ保護カバー内にそれぞれランプを収容して形成された複数のランプユニットと，
高さ方向を長さ方向とする筒状の安定器保護カバー内に前記ランプの安定器を収容した安定器ユニットと，
前記ランプユニット及び安定器ユニットを載置して前記ランプ保護カバー及び安定器保護カバーの下端開口を被蓋する基台と，
前記安定器ユニット及びランプユニット上に載置され，前記ランプ保護カバー及び安定器保護カバーの上端開口を被蓋する蓋体を備え，
前記安定器ユニットを前記基台の中央に立設すると共に，前記ランプユニットを，前記安定器ユニットを中心とする仮想円上に等間隔で，前記基台上に立設したことを特徴とするスタンド型照明器具。
【請求項２】
前記スタンド型照明器具の全体を平面視において矩形状とし，平面視における前記矩形の一辺両端角部において前記基台の裏面にそれぞれキャスタを取り付けると共に，その他の角部において前記基台の裏面に支持脚を下向きに突出して設け，
前記矩形の前記キャスタを設けた一辺側において前記蓋体に把手を設けたことを特徴とする請求項１記載のスタンド型照明器具。
【請求項３】
前記支持脚の突出長さを可変としたことを特徴とする請求項２記載のスタンド型照明器具。
【請求項４】
前記基台と前記蓋体を共に平面視において矩形状に形成して前記基台の各角部と前記蓋体の各角部間をそれぞれ連結する縦フレームと，前記各縦フレームを所定の高さ位置において横方向に連結する横フレームを備えた防護フレームを設け，
前記横フレームの連結位置よりも上方位置において前記縦フレームのいずれかに遊嵌される筒状体と，前記筒状体を介して前記縦フレームに取り付けられたフックを設けたことを特徴とする請求項１〜３いずれか１項記載のスタンド型照明器具。
【請求項５】
前記蓋体の上面に，スタンド型照明器具を吊り下げ可能と成すリング状部材を設けたことを特徴とする請求項１〜４いずれか１項記載のスタンド型照明器具。
【考案の詳細な説明】
【技術分野】
【０００１】
本考案はスタンド型照明器具に関し，より詳細には，建築，土木工事等の作業現場，展示会場，グランド，イベント会場，災害時の避難場所等，屋内外において各種用途で使用できるスタンド型照明器具に関する。
【背景技術】
【０００２】
建築，土木工事現場等において，比較的広い範囲を照らすことを目的としたスタンド型の照明器具が使用されている。
【０００３】
このようなスタンド型の照明器具の一例として，内部に安定器３２等の機器が収容された基台１０と，この基台１０より立設された支柱９０を備え，この支柱９０の周りに，前記支柱９０の高さ方向を長さ方向とする複数本の蛍光管２２を配置すると共に，この支柱９０と蛍光管２２とを共に透光性を有する材質で形成された円筒状の保護カバー１００で覆い，この保護カバー１００の上端を蓋体１０１で覆ったスタンド型照明器具１が提案されている。
【０００４】
そして，このような照明器具１において，前記保護カバー１００の内部空間を，蛍光管により熱せられた空気が上昇する対流用通路とし，保護カバー１００の上端開口部を，下向きに開口する空気流出口を有する前記蓋体１０１で覆い，更に，前記支柱９０を基台１０を貫通して設け，この支柱９０内部に熱せられた空気が上昇する対流用通路を形成したスタンド型照明器具１が提案されている（特許文献１参照）。
【０００５】
この考案の先行技術文献情報としては，次のものがある。
【特許文献１】特許第３１０３０３７号公報
【考案の開示】
【考案が解決しようとする課題】
【０００６】
前記従来技術として紹介したスタンド型照明器具１にあっては，支柱９０の周りに配置された複数本の蛍光管２２により，スタンド型照明器具１の周囲３６０°全方向の照明が可能であると共に，蛍光管２２を高さ方向を長さ方向として配置したことにより，床置き型でありながら床面付近のみならず，床面より上方に離間した位置についても照明を行うことができ，建築，土木工事等の作業現場を広い範囲で，比較的均一に照明することができるものである点で優れる。
【０００７】
しかし，前記従来技術として説明したスタンド型照明器具１にあっては，以下に説明するような種々の問題点を有するものとなっている。
【０００８】
（１）安定器の配置に基づく問題点
前記構成のスタンド型照明器具１にあっては，蛍光管２２や支柱９０を載置する前述の基台１０内に蛍光管２２の安定器３２を収容することから，基台１０内に安定器３２を収容し得る空間を確保する必要がある。
【０００９】
そのため，この基台１０を小型化することができず，特にその高さを減ずることが難しいため，照明器具１の小型化が困難である。
【００１０】
（２）単一の保護カバーを使用することに基づく問題点
また，前記従来のスタンド型照明器具１にあっては，支柱９０及びこの支柱９０周りに配置された複数本の蛍光管２２を共に単一の保護カバー１００で覆っているために，複数ある蛍光管２２のうちの１本のみの交換が必要となった場合であっても，保護カバー１００全体を取り外す必要があり，個々独立して蛍光管２２の交換を行えない等，その作業が煩雑である。
【００１１】
しかも，共通の保護カバー１００内に複数の蛍光管２２を共に収容しているために保護カバー１００内での発熱量が多く，この熱を排出するために上記従来技術で説明した照明器具１にあっては排熱口を設けている。そのためにカバー１００内を密封できず防滴性が悪いために屋外での使用に適さないものとなっている。
【００１２】
しかも，この排熱口は，雨水等の浸入のみならず虫等の侵入経路ともなることから，侵入した虫の死骸によってカバー１００内が汚れるだけでなく，堆積した死骸によって短絡や発火の危険性もあり，定期的に掃除する等のメンテナンスが必要である。
【００１３】
（３）走行機構に関する問題点
前記従来技術として説明したスタンド型照明器具１にあっては，その移動を容易とするために基台１０の底面にキャスタ１７を取り付け，照明器具１を立てた状態で走行させることができるように構成されている。
【００１４】
しかし，このように立てたままの状態で縦長形状のスタンド型照明器具１を走行させる場合には安定性が悪く，キャスタ１７が僅かな段差に衝突しただけで転倒等するおそれがある。
【００１５】
また，このように基台１０の底面にキャスタを設けて直立した状態で走行可能に構成された照明器具１にあっては，設置位置において照明器具１が移動しないように位置固定するためにキャスタ１７のうちのいくつか，又は全てを比較的高価であるストッパ付きのものとする必要があると共に，移動，停止時においてこのストッパを操作する作業が必要であり煩雑である。
【００１６】
しかも，該照明器具１には水平調節等を行う機能がなく，傾斜した場所において使用すれば転倒の危険性がある。
【００１７】
（４）電源コードの収納に関する問題点
さらに，この種の照明器具１にあっては，作業現場等での使用を考慮し，例えば１０m程の比較的長尺の電源コードが取り付けられているが，このコードは照明器具１の収納，搬送時等においては邪魔にならないように束ねられるのが一般的である。
【００１８】
しかし，このようにして電源コードを束ねたとしても，これを照明器具１に吊るす等しておかなければ，キャスタ１７による走行時に束ねた電源コードを引き摺ることとなり電源コードが破損する原因となる。
【００１９】
また，照明器具１を押して走行させている場合において電源コードを引き摺ると，この引き摺られている電源コードを踏む等して照明器具１を転倒させてしまうおそれがあり危険である。
【００２０】
そのため，コンセントより抜いて束ねる等したコードを吊り下げておくフック等が照明器具１より突設されていれば便利である。
【００２１】
一方，このような照明器具１より突出するフックを設ける場合には，このようなフックは不使用時には邪魔になるだけでなく，付近で作業中の作業者と接触すれば怪我のおそれがある。
【００２２】
（５）吊り下げ使用に関する問題点
なお，前記スタンド型照明器具１は，通常床面に載置して使用するものであるが，設置場所や作業現場の状況によってはこれを吊り下げた状態で使用できれば便利な場合がある。
【００２３】
しかし，前記従来記述の照明器具１にあっては，これを吊り下げるための構成を備えていない。
【００２４】
（６）本考案の課題
そこで，本考案は上記従来技術における欠点を解消するためになされたものであり，性能を低下させることなく照明器具全体の小型化，特に高さの低下が可能であると共に，ライトの交換等のメンテナンス性に優れ，移動を安定した状態で容易に行うことができ，しかも束ねたコードの収納や吊り下げての使用にも対応可能なスタンド型照明器具を提供することを目的とする。
【課題を解決するための手段】
【００２５】
上記目的を達成するために，本考案のスタンド型照明器具１は，高さ方向を長さ方向とする透明な筒状のランプ保護カバー２１内にそれぞれランプ２２を収容して形成された複数のランプユニット２０と，
高さ方向を長さ方向とする筒状の安定器保護カバー３１内に前記ランプ２２の安定器３２を収容した安定器ユニット３０と，
前記ランプユニット２０及び安定器ユニット３０を載置して前記ランプ保護カバー２１及び安定器保護カバー３１の下端開口を被蓋する基台１０と，
前記安定器ユニット３０及びランプユニット２０上に載置され，前記ランプ保護カバー２１及び安定器保護カバー３１の上端開口を被蓋する蓋体５０を備え，
前記安定器ユニット３０を前記基台１０の中央に立設すると共に，該安定器ユニット３０を囲むように，前記安定器ユニットを中心とする仮想円上に等間隔で前記ランプユニット２０を前記基台１０上に立設したことを特徴とする（請求項１）。
【００２６】
前記構成のスタンド型照明器具１は，その全体を平面視において矩形状とし（図２参照），平面視における前記矩形の一辺両端角部において前記基台１０の裏面にそれぞれキャスタ１７を取り付けると共に，その他の角部において前記基台１０の裏面に支持脚１８を下向きに突出して設け，
前記矩形の前記キャスタ１７を設けた一辺側において前記蓋体５０に把手５３を設けたものとしても良い（請求項２）。
【００２７】
前記構成のスタンド型照明器具１において，基台１０の裏面に設けた前記支持脚１８は，その突出長さを可変とすることが好ましい（請求項３）。
【００２８】
さらに，前記基台１０と前記蓋体５０を共に平面視において矩形状に形成して前記基台１０の各角部と前記蓋体５０の各角部間をそれぞれ連結する剛性を有する杆体，例えば，鉄筋から成る縦フレーム４１〜４４と，前記各縦フレーム４１〜４４を所定の高さ位置において横方向に連結する例えば，縦フレームと同様に鉄筋から成る横フレーム４５〜４８を備えた防護フレーム４０を設け，
前記横フレーム４５〜４８の連結位置よりも上方位置において前記縦フレーム４１〜４４のいずれか（図６の例では縦フレーム４３）に遊嵌される筒状体７２と，該筒状体７２を介して前記縦フレーム４３に取り付けられたフック７１を設けるものとしても良い（請求項４）。
【００２９】
なお，前記蓋体５０の上面には，本考案のスタンド型照明器具１を吊り下げ可能と成すリング状部材５５を設けることが好ましい（請求項５）。
【考案の効果】
【００３０】
以上で説明した本考案の構成により，本考案のスタンド型照明器具１によれば以下の顕著な効果を得ることができた。
【００３１】
（１）複数のランプユニット２０に囲まれた中央部分に安定器ユニット３０を配置したことで，基台１０内に安定器３２を収容する空間を確保する必要がなく，その結果，基台１０のサイズ，特に高さを低く抑えることができた。
【００３２】
しかも，ランプユニット２０に囲まれた空間はデッドスペースとなる部分であり，この部分に前述した安定器ユニット３０を配置しても，これによりスタンド型照明器具１のサイズが大型化することはなく，照明器具１を全体として小型化することができた。
【００３３】
（２）高さ方向を長さ方向とする透明な筒状のランプ保護カバー２１内にそれぞれランプ２２を収容して形成された複数のランプユニット２０を設けたことにより，各ランプユニット２０単位でランプ交換等のメンテナンスが可能なスタンド型照明器具１を提供することができた。
【００３４】
しかも，各ランプ保護カバー２１はこれを容易に密閉することができ，防滴性に優れ屋外での使用にも適すると共に内部に汚れが付き難く，掃除等のメンテナンスが不要なスタンド型照明器具１を提供することができた。
【００３５】
（３）スタンド型照明器具１を平面視において矩形状に形成し，該矩形の一辺両端の角部における基台１０の裏面にそれぞれキャスタ１７を設けると共に，前記一辺側における前記蓋体５０に把手５３を設けたことにより，前記把手５３を把持してスタンド型照明器具１を傾斜（図３において時計回り方向に傾斜）させて牽引することで，縦長形状である本考案のスタンド型照明器具１を安定して走行させることができた。
【００３６】
また，このように照明器具１を傾斜させて走行させる構成としたことから，基台１０底面の他の角部にはキャスタ１７を設ける必要がなく，比較的安価な支持脚１８を設ける構成とすることができた。
【００３７】
その結果，通常のキャスタに比較して高価であるストッパ付きのキャスタを使用することなく，設置場所において支持脚１８を接地させるだけでスタンド型照明器具１の位置固定を行うことができると共に，この支持脚１８の突出長さを可変とする構成を備えることにより照明器具１の水平調整が可能となり，その結果，傾斜した床面等に対しても安定した姿勢で設置することのできるスタンド型照明器具１を提供することができた。
【００３８】
（４）平面視における各角部近傍に防護フレーム４０を設けることで，人や物等がランプユニット２０や安定器ユニット３０と接触することを防止できると共に，縦フレーム４３に遊嵌した筒状体７２にフック７１を取り付けたことにより，このフック７１に束ねた電源コードを吊り下げて収容することができた。
【００３９】
しかもこのフック７１は，前述の筒状体７２を介して防護フレーム４０に取り付けられていることから，このフック７１を取り付けた縦フレーム４３を中心として回転でき，不使用時には中心側（ランプユニット側）に向けて回転させて収納することで，このフック７１に人や物等が接触することによる事故を防止することができる。
【００４０】
（５）なお，蓋体５０の上部にリング状部材５５を設けたことにより，運搬，据え付けに便宜であると共に，橋架下，海洋，河川工事などで吊り下げ状態においても使用することのできるスタンド型照明器具１を提供することができた。
【考案を実施するための最良の形態】
【００４１】
次に，本考案の実施形態につき以下説明する。
【００４２】
〔全体構成〕
本考案のスタンド型照明器具１は，図１及び図３に示すように基台１０と，この基台１０上に搭載されるランプユニット２０及び安定器ユニット３０，前記ランプユニット２０及び安定器ユニット３０の外側に配置されたこれらを防護する防護フレーム４０，及び前記防護フレーム４０の上端に取り付けられて安定器ユニット３０及びランプユニット２０の上端を被蓋する蓋体５０を備えており，各部はそれぞれ以下のように構成されている。
【００４３】
〔基台〕
前記基台１０は，後述するランプユニット２０，安定器ユニット３０，防護フレーム４０及び蓋体５０を載置してスタンド型照明器具１の下端部を構成するもので，図１に示すように本実施形態にあっては略正方形に形成された底板１１と中板１２間を，平面視においてコ字状を成す側板１３と，前記側板１３の端部間を連結するフロントパネル１４によって上下に連結して内部に収容空間を備える箱型に形成されている。
【００４４】
この基台１０内の収容空間には，端子台取付板１５に取り付けられた端子台１６ａや，前記中板１２の底面に取り付けられた端子台１６ｂが収容されており，この端子台１６ａ，１６ｂに，電源コード６１を接続すると共に，フロントパネル１４に設けたコンセント６２，スイッチ６３，表示灯６４の配線，及び後述する安定器３２に接続された配線，及びランプ２２のソケット２３に接続された配線をそれぞれ接続して，前記電源コード６１を図示せざる電源（例えば建築現場に設けられた架設コンセントボックスのコンセント）に差し込んで本考案のスタンド型照明器具１が通電すると，フロントパネル１４に設けた前述の表示灯６４が点灯して通電状態にあることが表示されると共に，スイッチ６３のＯＮ，ＯＦＦ操作によってランプ２２を点灯及び消灯することができるように構成されている。
【００４５】
また，このように本考案のスタンド型照明器具１が図示せざる電源に接続された通電状態にあるときに，前記フロントパネル１４に設けたコンセント６２に他の電気機器のプラグを差し込むことで，これらの外部電気機器に対して電力を供給することができるように構成されている。また，前記コンセント６２を介して本考案のスタンド型照明器具１を複数台直列接続することも可能である。
【００４６】
前述の側板１３には，前述した電源コード６１を挿通するためのコード孔が形成されており，一端を前記端子台に接続された電源コード６１が，このコード孔を介して基台１０外に延設されている。
【００４７】
本実施形態にあっては，一例としてこの電源コード６１を１０m程の長さとし，比較的離れた位置にある電源に対しても接続することができるように構成している。
【００４８】
前記基台１０の底面を成す前述の底板１１は，後述する中板１２に比較して若干大きなサイズに形成されており，この底板１１の各角部近傍にネジ孔１１ａ〜１１ｄが形成されている。
【００４９】
このネジ孔１１ａ〜１１ｄのうち，底板１１の一辺両端に位置する角部に形成されたネジ孔１１ａ，１１ｂにキャスタ１７が取り付けられていると共に，その他の角部に形成されたネジ孔１１ｃ，１１ｄには，底板１１の底面より下方に向かって突出する支持脚１８を取り付け，本考案のスタンド型照明器具１を床面上に設置した際に，二個のキャスタ１７，１７と二本の支持脚１８，１８を介して接地するように構成されている。
【００５０】
前述の支持脚１８は，好ましくは前記底板１１からの突出長さを可変とするように構成されていることが好ましく，本実施形態にあっては前記底板１１に形成されたネジ孔１１ｃ，１１ｄに，外周に雄ネジが形成された円柱状の支持脚１８を螺合して，支持脚１８を回転させることによりこの支持脚１８の底板１１からの突出長さを可変としている。
【００５１】
なお，図１に示す実施形態において，前記キャスタ１７及び支持脚１８を取り付けるために形成した前述のネジ孔１１ａ〜１１ｄに対して若干中心寄りとなる位置に形成された開孔１１ｅ〜１１ｈは，後述する防護フレーム４０を取り付けるための開孔であり，防護フレーム４０の下端をこの開孔１１ｅ〜１１ｈ内に挿入することができるように構成されている。
【００５２】
箱状に形成された基台１０の上面を形成する前述の中板１２には，前記底板１１に形成された防護フレーム挿入用の開孔１１ｅ〜１１ｈが形成された位置の真上となる位置に，同様に防護フレーム４０の下端部を挿入するための開孔１２ｅ〜１２ｈが形成されており，前記底板１１上に立設された防護フレーム４０をこの開孔１２ｅ〜１２ｈ内にも挿入して固定することができるように構成している。
【００５３】
また，前記中板１２の上面には円形の凹部１２１〜１２５を形成すると共に，このうちの凹部１２１〜１２４内にゴムパッキン等のシール材を敷設して後述するランプユニット２０のパイプ状のランプ保護カバー２１の下端を嵌合すると共に，中板１２の中央部分に形成された凹部１２５に同様のシール材を敷設して安定器保護ユニット３０の安定器保護カバー３１の下端を嵌合し，後述する蓋体の取り付けによってこれらを下方に押圧することで，ランプ保護カバー２１及び安定器保護カバー３１の下端が中板１２によって密封されてこの部分を介して保護カバー２１，３１内に雨水等が浸入することを防止している。
【００５４】
なお，前記中板１２に形成した前記凹部１２１〜１２５には，例えばその中央部分に中板１２を貫通する貫通孔を形成し，これをランプ２２のソケット２３や安定器３２に接続された配線を基台１０内に引き込むための配線孔とし，この配線孔を介して基台１０内に引き込んだ配線を前記端子台１６ａ，１６ｂに接続する。
【００５５】
〔ランプユニット〕
前記中板１２上に長さ方向を高さ方向として立設される前述のランプユニット２０は，前記安定器ユニットを中心とする仮想円上に等角度の間隔で配置される。
【００５６】
図４に示すように例えば蛍光管であるランプ２２と，このランプ２２に取り付けられるソケット２３，及び必要に応じて前記ソケットを固定するためのフレーム２４や，前記ランプ２２の照射光のうち，照明器具の中心側に向かう照射光を照明機器１の外周方向に反射する反射板２５を備えると共に，これらを収容する透明のランプ保護カバー２１を備えている。
【００５７】
なお，前記ランプ保護カバー２１における「透明」とは，無色透明のみならず色付きの透明を含み，また，すりガラスのような半透明であっても良く，用途に応じて透過する光量を調整できるようにしても良い。
【００５８】
前述のランプ保護カバー２１は，前述したランプ２２及びその付属機器２３〜２５を収容できるサイズに形成された透明の筒状を成し，角筒，円筒のいずれの形状であっても良いが，本実施形態にあっては円筒状のものを使用している。
【００５９】
本実施形態にあってはこのランプ保護カバー２１として，透明度が高く機械的強度に優れると共に，不燃性であり，耐候性や耐熱性，耐寒性に優れたポリカーボネート製のものを使用している。
【００６０】
このランプ保護カバー２１内に収容されるランプ２２は，本実施形態にあっては蛍光管であり，本実施形態にあっては前述したようにこの蛍光管２２と共に，この蛍光管２２の両端に設けられた端子に接続されるソケット２３，前記ソケットを介して蛍光灯に接続される配線，及び必要に応じて前記ソケットを取り付けるためのフレーム２４や反射板２５を収容して，１つのランプユニット２０とし，４つのランプユニット２０を基台１０上に載置した。
【００６１】
なお，ランプユニット２０が前述の反射板２５を備える場合，反射板２５に直接ソケット２３を取り付けて前記フレーム２４を省略する構成としても良く，各ランプユニット２０の構成は図示の例に限定されない。
【００６２】
また，前述のフレーム２４や反射板２５は，これを前記中板１２に固定して基台１０の上方に立設させた構造としても良い。
【００６３】
〔安定器ユニット〕
前記ランプユニット２０，本実施形態にあっては４つのランプユニット２０に包囲されるように配置される安定器ユニット３０は，図５に示すように安定器保護カバー３１内に安定器３２を収容したものである。
【００６４】
この安定器ユニット３０の構成部品である前述の安定器保護カバー３１は，前述した安定器３２を収容し得るサイズの角筒や円筒等の筒状に形成されたものであり，前述したランプ保護カバー２１とは異なり透明である必要はなく，樹脂製のものの他，金属製，その他の材質であっても良い。
【００６５】
本実施形態にあっては，共通の部品を使用することによる製造コストの低減を図るべく，この安定器保護カバー３１として前述したランプ保護カバー２１と同じものを使用している。
【００６６】
この安定器保護カバー３１は，４つのランプユニット２０に包囲されるようにその中央に配置されるものであることから，照明の明るさを増すことができるように，前述のランプユニット２０より照射された光のうち，この安定器ユニット３０側に照射された光を照明器具１の外周側に反射することができるよう構成することが好ましい。
【００６７】
このような照射光の反射を目的として，例えば前述の安定器保護カバー３１の外周若しくは内周を白色に塗装し，又は白色のシートを外周に巻き付け，又は円筒状に丸めた白色シートを安定器保護カバー３１内に挿入する等して白色とし，又は，同様に塗装，金属箔の巻き付けや挿入，メタライジング等によって，安定器保護カバー３１の外周面又は内周面を鏡面や金属色とする等して，前述したランプユニット２０に設ける反射板２５に代え，又は反射板２５と共に照射された光を照明器具１の外周側に反射するように構成しても良い。
【００６８】
前述した安定器保護カバー３１内に収容される安定器３２は，ランプユニット２０で使用されているランプ２２の種類に対応したものが収容され，本実施形態にあっては蛍光管用の安定器として，インバータ式の安定器３２を収容している。
【００６９】
本実施形態にあっては，１台の安定器３２によって２本の蛍光管の制御が可能な安定器３２を２個１組として前記安定器保護カバー３１内に収容し，これにより４本の蛍光管２２の点灯を行っている。
【００７０】
この安定器３２の収容は，安定器３２を直接挿入することにより行っても良いが，本実施形態にあっては前記安定器３２を固定するための長板状のフレーム３３を設け，このフレーム３３上の所定の位置に前記安定器３２をそれぞれ取り付けた状態で前記フレーム３３と共に安定器保護カバー３１内に収容している。
【００７１】
なお，この安定器３２のフレーム３３は，前述したランプユニット２０のフレーム２４同様に，中板１２に固定，立設するものとしても良い。
【００７２】
このようにして，フレーム３３に固定された状態の安定器３２を収容した安定器保護カバー３１の下端は，前記中板１２の上面に形成された凹部１２５内にゴムパッキン等のシール材を介して嵌合され，下端部分を介して安定器保護カバー３１内に水が浸入しないように構成されている。
【００７３】
〔防護フレーム〕
以上のようにして基台１０上に立設された安定器ユニット２０及びランプユニット３０の外周には，これらを保護するための防護フレーム４０が更に設けられている。
【００７４】
この防護フレーム４０は，図６に示すように縦方向に配置された４本の縦フレーム４１〜４４と，前記縦フレーム４１〜４４の高さ方向の所定位置，図示の実施形態にあっては中間位置を横方向に連結する横フレーム４５〜４８とによって形成されており，例えばこの照明器具１を建築現場等に設置した際，人や物がランプ保護カバー２１や安定器保護カバー３１に衝突等することを防止している。
【００７５】
前述の縦フレーム４１〜４４と横フレーム４５〜４８との連結は，例えばこれらを溶着等するものとしても良いが，本実施形態にあっては，各縦フレーム４１〜４４を上下２本のここでは，鉄筋を連結して形成し，各縦フレーム４１〜４４を成す前記２本の鉄筋を連結すると共に，２本の横フレームを連結する連結金具４９を設け，この連結金具４９を介して防護フレーム４０を組み立てることができるように構成した。
【００７６】
本実施形態にあっては，縦フレーム４１〜４４の上下面を形成する前記各鉄筋の連結側端部と，各横フレームの両端にそれぞれ雄ネジを形成すると共に，前記連結金具４９に形成した各鉄筋の挿入孔内に雌ネジを形成し，前記雄ネジと雌ネジの螺合によって前記防護フレーム４０を比較的容易に組み立て，分解することができるように構成した。
【００７７】
前述の防護フレーム４０の各縦フレーム４１〜４４下端は，所定の範囲でその外周に雄ネジが形成されており，この雄ネジの形成部分を前述した底板１１に形成した開孔１１ｅ〜１１ｈ，及び中板１２に形成した開孔１２ｅ〜１２ｈ内に挿入し，前記雄ネジに螺合したナットで前記底板１１及び中板１２をそれぞれ上下より挟持する等して固定することで，縦フレーム４１〜４４に前記底板１１と中板１２とを上下方向に所定の間隔を介して固定している。
【００７８】
なお，この防護フレーム４０を構成する縦フレーム４１〜４４のうちのいずれか（図示の例では縦フレーム４３）には，前記連結金具４９の取り付け位置よりも上方において筒状体である取付金具７２を遊嵌すると共に，この取付金具７２に電源コード６１等を吊り下げ可能なフック７１を固着している。
【００７９】
このようにして筒状体７２を介して縦フレーム４３に取り付けられたフック７１は，例えば電源コード６１の吊り下げを行う際には図６に示すように外側にこのフック７１を突出させた状態としておく一方，電源コード６１の吊り下げを行っていないときには，邪魔とならないように防護フレーム４０の内側に向けておくことができ，これによりフック７１に例えば作業者が衣服を引っ掛ける等して照明器具を横転させる等の事故が生じることを防止できる。
【００８０】
〔蓋体〕
以上のようにして，基台１０上に立設された防護フレーム４０の上端には蓋体５０が取り付けられ，この蓋体５０によって前述したランプユニット２０のランプ保護カバー２１の上端開口部，及び安定器ユニット３０の安定器保護カバー３１の上端開口が被蓋され，前記保護カバー２１，３１内部への水の浸入が防止されている。
【００８１】
本実施形態にあってはこの蓋体５０を，図１に示すように振れ止め板５１と蓋板５２によって形成しているが，この振れ止め板５１は必ずしも必要ではなく，これを省略することもできる。
【００８２】
前記振れ止め板５１と蓋板５２から成る前述の蓋体５０を取り付け可能とするために，前述の防護フレーム４０の各縦フレーム４１〜４４上端部には，所定範囲で雄ネジが形成されていると共に，この縦フレーム４１〜４４の先端部を，前記振れ止め板５１の各角部に形成された開孔５１ｅ〜５１ｈ内に挿入すると共に，前記縦フレーム４１〜４４のそれぞれの上端部に螺合した１組のナットによって上下より前記振れ止め板５１を挟持して固定している。
【００８３】
このようにして防護フレーム４０の上端部に取り付けられる前記振れ止め板５１には，前述のランプ保護カバー２１及び安定器保護カバー３１の外径に対して若干大径に形成された開口５１１〜５１５がそれぞれ対応位置に形成されていると共に，前記各開口５１１〜５１５の内縁に取り付けた環状の緩衝材内に，各ランプユニット２０のランプ保護カバー２１及び安定器ユニット３０の安定器保護カバー３１を挿入して前記開口５１１〜５１５内に動かないように固定している。
【００８４】
なお，図１〜図３において５３は把手であり，本実施形態にあっては前述した基台１０を構成する底板１１のキャスタ１７取付辺と同一方向に配置された前記振れ止め板５１の一辺に取り付けている。
【００８５】
図示の実施形態にあっては，この把手５３を前述したように振れ止め板５１の一辺に設けるものとして説明しているが，この把手５３は，前記キャスタ１７の取付側における照明器具の上端側であれば他の位置に設けても良く，例えば後述する蓋板５２に設けるものとしても良い。
【００８６】
以上のようにして構成された振れ止め板５１上には，更に蓋板５２が載置され，この蓋板５２によって前述のランプ保護カバー２１及び安定器保護カバー３１の上端開口部が被蓋されると共に前記各保護カバー２１，３１内が密閉され，保護カバー２１，３１内への水の浸入が防止されている。
【００８７】
前述のように，保護カバー２１，３１の上端開口を密封するために，本実施形態にあっては図７に示すように前述の蓋板５２の裏面に，前記各保護カバー２１，３１の上端を挿入可能な凹部５２１を形成すると共に，この凹部５２１内に，円盤状に形成されたゴムパッキン等のシール材５２２を配置して，前記振れ止め板５１上をこの蓋板５２で覆うと，前記凹部５２１内に各保護カバー２１，３１の上端が挿入されて被蓋されるように構成されている。
【００８８】
この蓋板５２の四隅近傍には，前記防護フレーム４０の縦フレーム４１〜４４上端が挿入される開孔５２ｅ〜５２ｈが形成されており（図１参照），この開孔５２ｅ〜５２ｈ内に前記縦フレーム４１〜４４の上端を挿入して前記保護カバー２１，３１の上端を覆うと共に，蓋板５２に設けた前記開孔５２ｅ〜５２ｈを貫通して突出した縦フレーム４１〜４４の上端にナット（例えば袋ナット）５４を螺合すると，この蓋板５２が下方に押し下げられて凹部５２１内に挿入された各保護カバー２１，３１の上端縁が，シール材５２２を介して前記蓋板５２の裏面に圧接されて保護フレーム２１，３１の上端開口が密閉されると共に，この蓋板５２によって下方に押し下げられた保護カバー２１，３１の下端縁が，シール材を介して中板１２に押圧されて，下端開口についても完全に密封される。
【００８９】
なお，前記蓋板５２を固定するナット５４は，少なくとも一対の対角を固定するナットに，金属リング等のリング状部材５５を備えたアイナットを使用し，このアイナットのアイ（リング）の部分を介して本考案の照明器具１を吊り下げ可能としても良い。
【００９０】
〔作用及び使用方法〕
以上のように構成された本考案のスタンド型照明器具１は，把手５３を把持してキャスタ１７を支点として図３における時計回り方向に傾斜させることにより支持脚１８を接地面より離間させ，この状態でスタンド型照明器具１を引く，又は押すと容易に走行させることができる。
【００９１】
このとき，基台１０より延設されている電源コード６１は，これを所定の長さで束ねる等して防護フレーム４０に設けたフック７１に吊り下げておくことで，スタンド型照明器具１の移動時に電源コード６１を引き摺る等して電源コード６１が破損等することを防止できると共に，スタンド型照明器具１を押して移動させている場合には，この電源コード６１を踏みつけることによる転倒等の危険がない。
【００９２】
このようにしてスタンド型照明器具１を所望の設置位置に移動したら，傾斜させていたスタンド型照明器具１を垂直に立てて設置面より浮きあがっていた支持脚１８を接地させると，スタンド型照明器具１はこの位置に立設される。
【００９３】
設置位置が傾斜している等，照明器具１が傾斜した接地状態にある場合には，前記支持脚１８を回転させることでその長さを調整することができ，設置面に若干の傾斜が存在する場合であっても，この傾斜を前記支持脚１８の突出長さを調整することで吸収することができるように構成されている。
【００９４】
従って，上記構成を備えた本考案のスタンド型照明器具１にあっては，キャスタ１７としてストッパ付きのものを使用し，又はこのようなストッパを操作する煩わしい作業が不要であると共に，傾斜した場所に対しても設置が可能である。
【００９５】
このようにしてスタンド型照明器具１を所望の位置に移動，設置した後，束ねられていた電源コード６１を解く等してその端部に設けられたプラグをコンセントに差し込むと，フロントパネル１４に設けた表示灯６４が点灯してこのスタンド型照明器具１が通電状態にあることが表示される。
【００９６】
電源コード６１を吊り下げていたフック７１は，縦フレーム４３の外周を回転することができるように構成されており，フック７１を使用していない時には作業の邪魔とならないようにこれを内側に向けておくことができる。
【００９７】
表示灯６４の点灯時，即ち本考案のスタンド型照明器具１が通電状態にあるときにフロントパネル１４に設けられたスイッチ６３をＯＮにすると，ランプ２２が点灯して周囲を照らす。
【００９８】
ランプ２２の交換が必要となった場合には，前記蓋体５０を取り外すことにより各ランプユニット２０のランプ保護カバー２１に対する押圧，固定が解除されるため，各ランプ保護カバー２１は，それぞれこれを上方に引き上げることにより簡単に取り外すことができることから，交換が必要となっているランプ２２を覆うランプ保護カバー２１を前述した方法によって除去する。
【００９９】
このランプ保護カバー２１の除去により，ランプ保護カバー２１内に収容されていたランプ２２が露出することから，このランプ２２をソケット２３より取り外すと共に，新しいランプ２２をソケット２３に取り付け，このランプ２２及びソケット２３，フレーム２４及び反射板２５を前述したランプ保護カバー２１内に収容して前記蓋体５０でその上部を覆うことで，ランプの交換を容易に行うことができる。
【０１００】
また，安定器保護カバー３１についても同様の作業により取り外すことができるために，基台１０内に安定器３２を収容していた従来の構造に比較して，安定器３２の保守，点検についても容易に行うことができる。
【図面の簡単な説明】
【０１０１】
【図１】本考案のスタンド型照明器具の分解斜視図。
【図２】本考案のスタンド型照明器具の平面図。
【図３】本考案のスタンド型照明器具の正面図。
【図４】ランプユニットの分解斜視図。
【図５】安定器ユニットの分解斜視図。
【図６】防護フレームの斜視図。
【図７】蓋板の断面図。
【図８】従来のスタンド型照明器具の説明図。
【符号の説明】
【０１０２】
１  （スタンド型）照明
１０  基台
１１  底板
１１ａ〜１１ｄ  ネジ孔
１１ｅ〜１１ｈ  開孔
１２  中板
１２ｅ〜１２ｈ  開孔
１２１〜１２５  凹部
１３  側板
１３ａ，１３ｂ  （側板の）端部
１４  フロントパネル
１５  端子台取付板
１６ａ，１６ｂ  端子台
１７  キャスタ
１８  支持脚
２０  ランプユニット
２１  ランプ保護カバー
２２  ランプ（蛍光管）
２３  ソケット
２４  フレーム
２５  反射板
３０  安定器ユニット
３１  安定器保護カバー
３２  安定器
３３  フレーム
４０  防護フレーム
４１〜４４  縦フレーム
４５〜４８  横フレーム
４９  連結金具
５０  蓋体
５１  振れ止め板
５１ｅ〜５１ｈ  開孔
５１１〜５１５  開口
５２  蓋板
５２１  凹部
５２２  ゴムパッキン
５２ｅ〜５２ｈ  開孔
５３  把手
５４  ナット
５５  リング状部材
６１  電源コード
６２  コンセント
６３  スイッチ
６４  表示灯
７１  フック
７２  筒状体（取付金具）
９０  支柱
１００  保護カバー
１０１  蓋体
【図１】
0003138723.tif 000003
【図２】
0003138723.tif 000004
【図３】
0003138723.tif 000005
【図４】
0003138723.tif 000006
【図５】
0003138723.tif 000007
【図６】
0003138723.tif 000008
【図７】
0003138723.tif 000009
【図８】
0003138723.tif 000010